(57)【特許請求の範囲】
【請求項１】
コンデンサマイクロホンユニットと、前記コンデンサマイクロホンユニットからの正相出力信号と逆相出力信号を受ける第１と第２のインピーダンス変換回路と、前記第１と第２のインピーダンス変換回路の出力を受けて、前記コンデンサマイクロホンユニットからの音声信号を平衡出力端子に平衡出力する第１と第２の出力回路とを備えたコンデンサマイクロホンの音声出力回路であって、
前記第１と第２のインピーダンス変換回路は、それぞれＦＥＴをソースフォロア接続回路として用いると共に、各ソース抵抗に生ずる第１と第２のインピーダンス変換出力を、前記第１と第２の出力回路に供給するように構成され、前記各ソース抵抗には定電圧を生成する定電圧素子が直列に接続されていることを特徴とするコンデンサマイクロホンの音声出力回路。
【請求項２】
前記第１と第２の出力回路は、それぞれトランジスタをエミッタフォロア接続回路として用いると共に、第１と第２の出力回路を構成するトランジスタの各エミッタから、前記コンデンサマイクロホンユニットからの信号を平衡出力することを特徴とする請求項１に記載のコンデンサマイクロホンの音声出力回路。
【請求項３】
前記第１と第２のインピーダンス変換回路を構成する各ＦＥＴに接続された各ソース抵抗の他端部は共通接続されると共に、前記各ソース抵抗の共通接続点に、単一の前記定電圧素子が直列に接続されていることを特徴とする請求項１または請求項２に記載のコンデンサマイクロホンの音声出力回路。
【請求項４】
前記第１の出力回路を構成するトランジスタのエミッタから、前記第２のインピーダンス変換回路を構成するＦＥＴのゲートに信号を供給することで、前記コンデンサマイクロホンユニットからの正相出力信号と逆相出力信号を第１と第２のインピーダンス変換回路に供給することを特徴とする請求項２または請求項３に記載のコンデンサマイクロホンの音声出力回路。
【請求項５】
前記平衡出力端子に供給されるファントム電源を動作電源として、前記第１と第２のインピーダンス変換回路、および前記第１と第２の出力回路が駆動動作されることを特徴とする請求項１ないし請求項４のいずれか１項に記載のコンデンサマイクロホンの音声出力回路。
【請求項６】
前記平衡出力端子には、定電流を生成する定電流素子を介して発光素子が接続され、前記発光素子の他端部に接続された手動スイッチの操作により、前記平衡出力端子に供給されるファントム電源を利用して、前記発光素子の点灯および非点灯操作を行うことを特徴とする請求項１ないし請求項５のいずれか１項に記載のコンデンサマイクロホンの音声出力回路。
【請求項７】
前記発光素子は複数のＬＥＤが直列接続されて構成され、ＬＥＤの直列接続回路と並列に定電圧を生成する定電圧素子が接続されていることを特徴とする請求項６に記載のコンデンサマイクロホンの音声出力回路。
【発明の詳細な説明】
【技術分野】
【０００１】
この発明はコンデンサマイクロホンの音声出力回路に関し、特に音声信号を平衡出力させる音声出力回路の改良に関する。
【背景技術】
【０００２】
コンデンサマイクロホンは、マイクロホンユニット内に振動板と固定極が対向して配置され、出力インピーダンスが極めて高いことから、その出力インピーダンスを低インピーダンスに変換するインピーダンス変換回路を必要とする。
このインピーダンス変換回路には、ＦＥＴ（電界効果トランジスタ）や真空管が用いられるが、現状におけるその多くは前者のＦＥＴを用いたインピーダンス変換回路が利用されている。
【０００３】
また、インピーダンス変換回路からの音声信号は平衡出力信号に変換され、平衡シールドケーブルを介してミキサーなどのマイクアンプ側に供給される。そしてマイクアンプ側には周知のファイトム給電装置が備えられ、前記平衡シールドケーブルを介してコンデンサマイクロホン側に動作電源が供給されるように構成される。
すなわち、平衡シールドケーブルを利用するコンデンサマイクロホンは、音声信号を平衡伝送することで、外来ノイズの影響を最小限にとどめ、同時にマイクアンプ側からインピーダンス変換回路を含む音声出力回路の動作電源を得るように作用する。
【０００４】
ところで、前記したファイトム給電装置からの動作電源を利用して、インピーダンス変換回路を含む音声出力回路を駆動させると共に、マイクロホン本体側に搭載された発光素子も点灯駆動させるようにしたマイクロホンとして、グースネック型マイクロホンが知られている。
このグースネック型マイクロホンは、例えば会議場の発言台や会議出席者の卓上にそれぞれ設置される会議用マイクロホンとして好適に利用される。そして、角度や高さ調節が容易になし得るフレキシブルパイプを備えた首の長いスタンドアームを備え、このスタンドアームの先端部にコンデンサマイクロホンユニットを収容したマイクロホン本体が取り付けられている。
【０００５】
前記した会議場等に設置されるグースネック型マイクロホンは、会議の進行が円滑に行われるようにマイクロホン本体側に発光素子を備え、会議の議長やオペレータが遠隔操作することで、点灯（発光）および非点灯（消灯）操作がなされる。これにより発光素子が点灯している発言者に対して発言を促すことができ、会議を円滑に進めることができる。
この発光素子には、従来より電球やＬＥＤが用いられているが、現状におけるこの種の多くのマイクロホンにおいては、前記発光素子として消費電力が少なく視認性の良好なＬＥＤが用いられている。
【０００６】
図１は、発光素子を備えたグースネック型マイクロホンの一例を示している。図１に示すグースネック型マイクロホン１は、会議机などの机上面に取り付けられたソケットに対して、着脱可能に装着される例えば３ピンタイプの出力コネクタ２を備えた基台部３と、この基台部３に取り付けられたスタンドアーム４と、このスタンドアーム４の上端部に取り付けられたマイクロホン本体５より構成されている。
前記スタンドアーム４は、中央の中継パイプ４ａと、この中継パイプ４ａの上下両端部に取り付けられたフレキシブルパイプ４ｂ，４ｃとにより構成されている。
【０００７】
また、スタンドアーム４の上端部に取り付けられたマイクロホン本体５内には、コンデンサマイクロホンユニット６、インピーダンス変換回路を含む音声信号出力回路を搭載した回路基板７が収容されている。さらに前記マイクロホン本体５の下端部付近における周側面に沿って、半透明の樹脂素材により形成された導光体８が取り付けられている。
なお、図１には示されていないが、マイクロホン本体５内において、前記導光体８に対峙するようにして、発光素子としてのＬＥＤが収容されている。
【０００８】
図２は、コンデンサマイクロホンの音声出力回路に供給される前記したファントム電源を利用して、発光素子としてのＬＥＤを点灯させる従来のコンデンサマイクロホンにおける音声出力回路の一例を示している。
なお、図２に示す回路構成は、第１と第２のインピーダンス変換回路を構成するソース抵抗の接続構成を除いて、後で説明する図３に示したこの発明に係る実施の形態と同一である。したがって図２と図３においては、同一の機能を果たす部分を同一符号で示し、その詳細な接続構成は、図３に基づいて後で説明する。
【０００９】
図２に示す音声出力回路には、２つのＮチャンネル型ＦＥＴＱ１，Ｑ２によりそれぞれ構成したソースフォロア回路による第１と第２のインピーダンス変換回路と、前記各インピーダンス変換回路にそれぞれ直結された２つのＰＮＰ型トランジスタＱ３，Ｑ４により構成したエミッタフォロア回路による第１と第２の電流増幅回路（出力回路）が備えられている。
【００１０】
前記第１インピーダンス変換回路を構成するＦＥＴＱ１と、第１電流増幅回路を構成するトランジスタＱ３には、出力コネクタのホット側出力端子として機能する端子ピンＰＩＮ２を経由して、図示せぬミキサーなどのマイクアンプ側に搭載されたファントム電源から動作電流が供給される。
また、前記第２インピーダンス変換回路を構成するＦＥＴＱ２と、第２電流増幅回路を構成するトランジスタＱ４には、出力コネクタのコールド側出力端子として機能する端子ピンＰＩＮ３を経由して、前記ファントム電源から動作電流が供給される。
【００１１】
前記ＦＥＴＱ１のゲートにはコンデンサマイクロホンユニット６が接続され、コンデンサマイクロホンユニット６からの信号が、ＦＥＴＱ１のソース抵抗Ｒ１にインピーダンス変換されて出力される。そのソース出力はトランジスタＱ３のベースに入力されて、トランジスタＱ３により電流増幅されたエミッタ出力が、前記端子ピンＰＩＮ２にホット側の音声信号として出力される。
【００１２】
また、前記トランジスタＱ３のエミッタ出力は、抵抗Ｒ３とコンデンサＣ１によるローパスフィルタと直流カットコンデンサＣ２を介して、前記ＦＥＴＱ２のゲートに供給される。そしてＦＥＴＱ２のソース抵抗Ｒ２にインピーダンス変換されて出力されたソース出力は、トランジスタＱ４のベースに入力されて、トランジスタＱ４により電流増幅されたエミッタ出力が、前記端子ピンＰＩＮ３にコールド側の音声信号として出力される。
【００１３】
前記した構成により、出力コネクタの端子ピンＰＩＮ２およびＰＩＮ３には、コンデンサマイクロホンユニット５からの音声信号が、ホット側およびコールド側として平衡出力される。
以上説明した回路構成を備えるコンデンサマイクロホンについては、次に示す特許文献１における特に図３に開示されている。
【先行技術文献】
【特許文献】
【００１４】
【特許文献１】特開平２０１５−９７３１２号公報
【００１５】
図２に示す回路構成においては、さらに発光素子として符号ＬＥ１で示す４つの直列接続されたＬＥＤが搭載されている。
そして、出力コネクタの端子ピンＰＩＮ２とＰＩＮ３にそれぞれアノードが接続された定電流ダイオードＣＲ１，ＣＲ２が具備されている。前記定電流ダイオードＣＲ１，ＣＲ２の各カソードは共通接続され、この共通接続点に前記ＬＥＤが直列接続されて、駆動電流が供給されるように構成されている。
【００１６】
なお、図２に示す回路例においては、出力コネクタの端子ピンＰＩＮ１に、符号ＬＥ１で示す直列接続されたＬＥＤのカソードが接続されている。すなわち、この回路例においては端子ピンＰＩＮ１が前記ＬＥＤの点灯および消灯制御に用いられ、出力コネクタのフレームグランド端子ＳＩを利用して、図２に示す音声出力回路が、前記したマイクアンプ側とグランド接続されるように構成している。
【００１７】
したがって図２に示すように、出力コネクタの端子ピンＰＩＮ１とフレームグランド端子ＳＩとの間にスイッチＳＷを接続することで、直列接続された符号ＬＥ１で示すＬＥＤの点灯および消灯操作を、スイッチＳＷによって遠隔操作することができる。
【発明の概要】
【発明が解決しようとする課題】
【００１８】
ところで、前記した図２に示すコンデンサマイクロホンの音声出力回路においては、それぞれインピーダンス変換回路を構成するＦＥＴＱ１およびＱ２は、周知のとおりＩｄｓｓに大きなバラつきを有している。なお、Ｉｄｓｓはゲート・ソース間電圧が０ｖのときに流れるドレイン電流（ドレイン飽和電流で）である。
したがって、各ＦＥＴのドレインにベースが直結されるトランジスタＱ３およびＱ４においては、前記Ｉｄｓｓのバラつきにより、両トランジスタのベースバイアス電位（ベース・エミッタ間電圧）が大きくバラつき、結果としてマイクロホンの消費電流も大きくバラつくという問題を抱えている。
【００１９】
すなわち、図２におけるＦＥＴＱ１およびＱ２として、例えば２ＳＫ２５５２を用いた場合のＩｄｓｓは、概ね９０〜１８０μＡの範囲でバラつく。そして、それぞれのソース抵抗Ｒ１，Ｒ２として例えば２４０ＫΩを用い、ファントム電源として４８Ｖ（供給抵抗６．８ＫΩ）を用いた場合には、トランジスタＱ３およびＱ４のベース電位は、２１．６〜４３．２Ｖの範囲でバラつく。この結果、マイクロホンの消費電流は、９．６〜３．２ｍＡと大きくバラつくことになる。
【００２０】
前記したＩｄｓｓのバラつきの影響を受けて、マイクロホンの消費電流が下限に近い状態に至る場合には、トランジスタＱ３およびＱ４のベースバイアス電位が相当に上昇する結果、音声出力回路としての正常な動作がなし得ない状態に陥る。また前記したバラつきにより、マイクロホンの消費電流が上限に近い状態に至る場合には、発光素子としてのＬＥＤへの供給電流が不足して、発光輝度の低下を招くことになる。
【００２１】
この発明は、インピーダンス変換回路を構成するＦＥＴのＩｄｓｓのバラつきに起因して生ずる音声出力回路の動作の不安定な問題を解消し、前記した発光素子を備える場合においても、発光素子の点灯動作を安定化させることができるコンデンサマイクロホンの音声出力回路を提供することを課題とするものである。
【課題を解決するための手段】
【００２２】
前記した課題を解決するためになされたこの発明に係るコンデンサマイクロホンの音声出力回路は、コンデンサマイクロホンユニットと、前記コンデンサマイクロホンユニットからの正相出力信号と逆相出力信号を受ける第１と第２のインピーダンス変換回路と、前記第１と第２のインピーダンス変換回路の出力を受けて、前記コンデンサマイクロホンユニットからの音声信号を平衡出力端子に平衡出力する第１と第２の出力回路とを備えたコンデンサマイクロホンの音声出力回路であって、前記第１と第２のインピーダンス変換回路は、それぞれＦＥＴをソースフォロア接続回路として用いると共に、各ソース抵抗に生ずる第１と第２のインピーダンス変換出力を、前記第１と第２の出力回路に供給するように構成され、前記各ソース抵抗には定電圧を生成する定電圧素子が直列に接続されていることを特徴とする。
【００２３】
この場合、好ましくは前記第１と第２の出力回路は、それぞれトランジスタをエミッタフォロア接続回路として用いると共に、第１と第２の出力回路を構成するトランジスタの各エミッタから、前記コンデンサマイクロホンユニットからの信号を平衡出力するように構成される。
【００２４】
また、前記第１と第２のインピーダンス変換回路を構成する各ＦＥＴに接続された各ソース抵抗の他端部は共通接続されると共に、前記各ソース抵抗の共通接続点に、単一の前記定電圧素子が直列に接続された構成とすることが望ましい。
【００２５】
そして一つの好ましい形態においては、前記第１の出力回路を構成するトランジスタのエミッタから、前記第２のインピーダンス変換回路を構成するＦＥＴのゲートに信号を供給することで、前記コンデンサマイクロホンユニットからの正相出力信号と逆相出力信号を第１と第２のインピーダンス変換回路に供給する構成が採用される。
【００２６】
一方、前記平衡出力端子に供給されるファントム電源を動作電源として、前記第１と第２のインピーダンス変換回路、および前記第１と第２の出力回路が駆動動作されることが望ましい。
【００２７】
この場合、前記平衡出力端子には、定電流を生成する定電流素子を介して発光素子が接続され、前記発光素子の他端部に接続された手動スイッチの操作により、前記平衡出力端子に供給されるファントム電源を利用して、前記発光素子の点灯および非点灯操作を行う構成が採用される。
【００２８】
加えて、前記発光素子は複数のＬＥＤが直列接続されて構成され、好ましくはＬＥＤの直列接続回路と並列に定電圧を生成する定電圧素子が接続される。
【発明の効果】
【００２９】
前記した構成のコンデンサマイクロホンの音声出力回路によると、それぞれＦＥＴをソースフォロア接続回路とする第１と第２のインピーダンス変換回路が用いられ、各ソース抵抗に生ずる第１と第２のインピーダンス変換出力を、前記第１と第２の出力回路に供給するように構成される。
【００３０】
この場合、前記各ソース抵抗には定電圧素子が直列に接続された構成が採用されるので、前記出力回路としてバイポーラトランジスタを利用した場合に、前記ＦＥＴのＩｄｓｓのバラつきによって生ずるバイポーラトランジスタのベースに加わるバイアスレベルのバラつき幅を抑制することができる。
したがって、前記出力回路によるマイクロホンの消費電流のバラつき幅も抑制されるので、ＦＥＴのＩｄｓｓのバラつきに起因する音声出力回路の動作の不安定な問題を解消することができる。また、マイクロホン本体に発光素子を備える場合においても、発光素子の点灯動作を安定化させることができる。
【図面の簡単な説明】
【００３１】
【図１】発光素子を備えたグースネック型マイクロホンの例を示した外観図である。
【図２】従来のマイクロホンの音声出力回路の一例を示した回路構成図である。
【図３】この発明に係るマイクロホンの音声出力回路の実施の形態を示した回路構成図である。
【発明を実施するための形態】
【００３２】
以下、この発明に係るマイクロホンの音声出力回路について、図３に示す実施の形態に基づいて説明する。
この図３に示すマイクロホンの音声出力回路は、図１に示したグースネック型マイクロホン１のマイクロホン本体５内における回路基板７に搭載される。
そして、図３に示す音声出力回路に信号を送るコンデンサマイクロホンユニット６は、対向する振動板または固定極のいずれかにエレクトレット誘電体膜を備えたエレクトレットコンデンサマイクロホンユニットを構成している。
【００３３】
図３に示すマイクロホンユニット６は、例えば振動板の電極が回路の基準電位点（グランド）に接続され、固定極が符号Ｑ１で示す第１のインピーダンス変換回路を構成するＦＥＴのゲートに接続されている。
そして、第１のインピーダンス変換回路を構成するＦＥＴＱ１のドレインには、出力コネクタ２のホット側出力として機能する端子ピンＰＩＮ２を経由して、図示せぬファントム電源（４８Ｖ／供給抵抗６．８ＫΩ）からの動作電流が供給される。またＦＥＴＱ１のソースにはソース抵抗Ｒ１１が接続され、このソース抵抗Ｒ１１にさらに直列に定電圧素子としてのツェナーダイオードＺ１が接続されてソースフォロア回路を構成している。
【００３４】
すなわち、ツェナーダイオードＺ１のアノードが前記ソース抵抗Ｒ１１に接続され、ツェナーダイオードＺ１のカソードは、グランド接続されている。
なお前記ＦＥＴＱ１は、バイアス回路内蔵型であって、そのゲートとソース間には逆並列にダイオードが接続され、これに抵抗が並列接続されている。
【００３５】
そして、前記ソース抵抗Ｒ１１とツェナーダイオードＺＤ１の直列回路に生ずるインピーダンス変換出力がトランジスタＱ３のベースに供給される。トランジスタＱ３はコレクタがグランド接続されて、エミッタには端子ピンＰＩＮ２を経由して、前記したファントム電源のからの動作電流が供給されるエミッタフォロア回路（第１の出力回路）を構成している。したがって、このエミッタフォロア回路においては、ファントム電源側の前記した供給抵抗（６．８ＫΩ）がエミッタ抵抗として機能することになり、これにより端子ピンＰＩＮ２が音声信号のホット側出力となる。
【００３６】
前記トランジスタＱ３のエミッタ出力は、抵抗Ｒ３とコンデンサＣ１によるローパスフィルタに供給され、このローパスフィルタを介した出力は直流カットコンデンサＣ２を介して第２のインピーダンス変換回路を構成するＦＥＴＱ２のゲートに供給される。
この時の前記トランジスタＱ３のエミッタ出力は、第１のインピーダンス変換回路を構成するＦＥＴＱ１のゲートに加わるコンデンサマイクロホンユニット６からの正相出力信号に対して逆相の出力信号になされている。したがってＦＥＴＱ１，Ｑ２で構成される第１と第２のインピーダンス変換回路には、前記コンデンサマイクロホンユニットからの正相出力信号と逆相出力信号が、それぞれ加わることになる。
【００３７】
第２のインピーダンス変換回路を構成するＦＥＴＱ２は、前記したＦＥＴＱ１と同様にバイアス回路内蔵型であり、ＦＥＴＱ２のドレインには、出力コネクタのコールド側出力として機能する端子ピンＰＩＮ３を経由して、ファントム電源（４８Ｖ／供給抵抗６．８ＫΩ）からの動作電流が供給される。
またＦＥＴＱ２のソースにはソース抵抗Ｒ１２が接続され、このソース抵抗Ｒ１２にさらに直列に、前記した定電圧素子としてツェナーダイオードＺ１のアノードが接続されてソースフォロア回路を構成している。
【００３８】
また、前記ソース抵抗Ｒ１２とツェナーダイオードＺＤ１の直列回路に生ずるインピーダンス変換出力がトランジスタＱ４のベースに供給される。トランジスタＱ４はコレクタがグランド接続されて、エミッタには端子ピンＰＩＮ３を経由して、前記したファントム電源のからの動作電流が供給されるエミッタフォロア回路（第２の出力回路）を構成している。したがって、このエミッタフォロア回路においては、ファントム電源側の前記した供給抵抗（６．８ＫΩ）がエミッタ抵抗として機能することになり、これにより端子ピンＰＩＮ３が音声信号のコールド側出力となる。
【００３９】
なお、この図３に示す回路構成においては、前記第１と第２のインピーダンス変換回路を構成するＦＥＴＱ１，Ｑ２の各ソース抵抗Ｒ１１，Ｒ１２の共通接続点に共通の定電圧素子（ツェナーダイオードＺＤ１）が接続される。
この場合、各ソース抵抗Ｒ１１，Ｒ１２に個別に定電圧素子をそれぞれ接続する構成も採用し得るが、図３に示す例においては、ＦＥＴＱ１，Ｑ２に接続された各ソース抵抗Ｒ１１，Ｒ１２の他端部は共通接続され、この共通接続点に単一の定電圧素子（ツェナーダイオードＺＤ１）が直列に接続されている。これにより、この発明に係る実施の形態は、すでに説明した図２に示す回路構成に、ツェナーダイオードＺＤ１が加わったのみの相異となる。
【００４０】
そして、図３に示す回路構成においては、さらに発光素子として符号ＬＥ１で示す４つの直列接続されたＬＥＤが搭載されており、これは図２に示した回路構成と同一である。  すなわち、出力コネクタの端子ピンＰＩＮ２とＰＩＮ３にそれぞれアノードが接続された定電流ダイオードＣＲ１，ＣＲ２の各カソードは共通接続されており、この共通接続点に前記ＬＥＤが直列接続されて、ファントム電源よりＬＥＤに駆動電流が供給されるように構成されている。
【００４１】
また、出力コネクタの端子ピンＰＩＮ１に、符号ＬＥ１で示す直列接続されたＬＥＤのカソードが接続されていて、端子ピンＰＩＮ１が前記ＬＥＤの点灯および消灯制御に用いられる。そして、出力コネクタのフレームグランド端子ＳＩを利用して、図２に示す音声出力回路が、前記したマイクアンプ側とグランド接続されている。
加えて、出力コネクタの端子ピンＰＩＮ１とフレームグランド端子ＳＩとの間にスイッチＳＷが接続され、直列接続された符号ＬＥ１で示すＬＥＤの点灯および消灯操作を、このスイッチＳＷによって遠隔操作できるように構成されている。
【００４２】
なお、前記ＬＥＤと並列に接続されたツェナーダイオードＺＤ２と、前記ＬＥＤに直列に接続されたツェナーダイオードＺＤ３は、それぞれ前記ＬＥＤに加える動作電圧を安定化させるものである。また、端子ピンＰＩＮ２とフレームグランド端子ＳＩとの間に接続されたツェナーダイオードＺＤ４、および端子ピンＰＩＮ３とフレームグランド端子ＳＩとの間に接続されたツェナーダイオードＺＤ５は、過電圧防止（静電気保護用）のツェナーダイオードである。
【００４３】
加えて、端子ピンＰＩＮ２とトランジスタＱ３のエミッタとの間、端子ピンＰＩＮ３とトランジスタＱ４のエミッタとの間にそれぞれ接続された各コイルおよび各コンデンサは、格別に符号を付けていないが、これらは高周波妨害信号を除去するフィルタ回路として動作するものであり、前記コンデンサマイクロホンユニット６とグランドとの間に接続されたコイルも同様の作用を果たすものである。
【００４４】
以上説明した図３に示す回路構成においては、第１と第２の出力回路を構成するトランジスタＱ３とＱ４のベース電位は、その前段に接続される各ＦＥＴＱ１，Ｑ２のＩｄｓｓ、ソース抵抗Ｒ１１，Ｒ１２、およびツェナーダイオードＺＤ１のツェナー電圧によって決められることになる。
そして、図３に示す回路構成においては、ＦＥＴＱ１およびＱ２として例えば２ＳＫ２５５２が用いられ、これらのＩｄｓｓは前記したとおり、概ね９０〜１８０μＡの範囲でバラつく。またソース抵抗Ｒ１１，Ｒ１２として１５ＫΩ、ツェナーダイオードＺＤ１として、ＥＤＺＶ１６（ツェナー電圧＝１５．８５〜１６．５１Ｖ）を用いた場合には、トランジスタＱ３とＱ４のベース電位は、１７．２〜１９．２Ｖ程度となり、図２に示した回路構成におけるトランジスタＱ３とＱ４のベース電位（２１．６〜４３．２Ｖ）に比較して、バラつきを大幅に抑えることができる。
【００４５】
この結果、マイクロホンの消費電流は、８．８〜８．２ｍＡと安定し、マイクロホン本体に発光素子を備える場合においても、発光素子の点灯動作を安定化させたコンデンサマイクロホンの音声出力回路を提供することができる。
【００４６】
なお、以上説明した実施の形態においては、この発明をグースネック型マイクロホンに適用した例を示しているが、この発明はグースネック型マイクロホン以外のコンデンサマイクロホンにも採用することができる。
また発光素子（ＬＥＤ）を備えないコンデンサマイクロホンに採用することもでき、ＦＥＴのＩｄｓｓのバラつきに起因する音声出力回路の動作の不安定な問題を解消したコンデンサマイクロホンの音声出力回路を提供することができる。
【符号の説明】
【００４７】
１      グースネック型マイクロホン
２      出力コネクタ
３      基台部
４      スタンドアーム
４ａ    中継パイプ
４ｂ    上側フレキシブルパイプ
４ｃ    下側フレキシブルパイプ
５      マイクロホン本体
６      コンデンサマイクロホンユニット
７      回路基板
８      導光体
Ｃ１，Ｃ２  コンデンサ
ＣＲ１，ＣＲ２  定電流ダイオード
ＬＥ１  発光素子（ＬＥＤ）
Ｑ１，Ｑ２  ＦＥＴ（インピーダンス変換素子）
Ｑ３，Ｑ４  トランジスタ（出力素子）
ＳＷ    スイッチ
ＺＤ１〜ＺＤ５  定電圧素子（ツェナーダイオード）
【図１】
0006533130.tif 000002
【図２】
0006533130.tif 000003
【図３】
0006533130.tif 000004